(57)【要約】【課題】頑丈で使い勝手が良い昇降式台装置を提供する。【手段】台装置は、天枠体３と、天枠体３の四隅に固定された４本の中空可動支柱５と、天枠体３の下方において中空可動支柱５に固定された中間棚６と、中空可動支柱５に下方から嵌まった固定支柱７と、固定支柱７が四隅に固定された下棚とを有する。固定支柱７の下端にはアジャスタボルト９又はキャスタが固定される。各固定支柱７にはねじ軸が上方からねじ込まれており、ねじ軸は天枠体３に回転自在に保持されている。天枠体３には剛体のスイングフレーム４が配置されており、ハンドル１０でスイングフレーム４を水平旋回させると各ねじ軸が回転して天枠体３と中間棚６とが一緒に昇降する。天枠体３には上棚２及び（又は）天板１が固定されている。【選択図】図１
2010173038.tif 000002
【特許請求の範囲】
【請求項１】
平面視略四角形の天枠体と、前記天枠体の下方に配置した平面視略四角形の中間棚と、前記天枠体及び中間棚にそのコーナー部寄りの箇所で固定された４本の中空可動支柱と、前記中間棚の下方に配置した平面視略四角形の下棚とを有しており、前記下棚の各コーナー寄り部位には前記各支柱に嵌まる固定支柱が立設されており、前記各中空可動支柱が各固定支柱に対して上下スライドすることで天枠体と中間棚とが一緒に昇降するようになっている、という台装置であって、
前記各固定支柱には天枠体に向けて延びるねじ軸が螺合しており、前記各ねじ軸は天枠体又は中空可動支柱に回転のみ自在で上下方向には相対動しないように保持されており、かつ、前記天枠体には、当該天枠体の下面部に配置したハンドルを水平回転させることで各ねじ軸を一斉に回転させる昇降駆動機構が配置されている、
昇降式台装置。
【請求項２】
前記天枠体は上向きに開口した箱状の形態であって前記各ねじ軸の上端は天枠体の内部に露出しており、各ねじ軸の上端に、当該ねじ軸の軸心からずれたクランクピンを有するクランク部材が取り付けられており、天枠体の内部に、前記ハンドルの回転操作によって水平揺動することで各クランク部材を一斉に回動させる剛体構造のスイングフレームが配置されており、
更に、前記天枠体の上面に上向きに開口したトレー状の上棚を配置している、
請求項１に記載した昇降式台装置。
【請求項３】
前記固定支柱にはねじ軸が螺合する雌ねじ穴が形成されていてこの雌ねじ穴は下棚の下方に開口しており、前記固定支柱の雌ねじ穴にアジャスタボルト又はキャスタの取り付けボルトが下方から入り込んでいる、
請求項１又は２に記載した昇降式台装置。
【発明の詳細な説明】
【技術分野】
【０００１】
本願発明は、各種作業や物品の運搬・保管等に使用される４本足方式の昇降式台装置に関するものである。換言すると、作業台やワゴンのように作業場や工場等での使用に好適な台装置に関するものである。
【背景技術】
【０００２】
定置式や移動式の台装置において天板を昇降式とすることが行われている。作業台の天板は一般に平面視四角形になっており、これを足（脚又は支柱と呼んでも良い）で支持している。天板昇降式作業台において足の形態や構造・昇降方式などは様々であるが、脚の形態・構造について見ると、左右２本足方式になっている場合と天板の四隅部を支える４本方式になっている場合とに大別される。
【０００３】
２本方式にしても４本方式にしても、足は天板に固定された可動部材と接地する固定部材とを備えており、可動部材が固定部材に対して上下動することで足が全体として上下に伸縮し、その結果、天板が昇降するようになっている。一般に、可動部材は中空筒状になっていてその内部に固定部材が嵌まっていることが多い。
【０００４】
４本足方式は２本足方式に比べて安定性に優れている等の利点がある。そして、４本の足を一斉に伸縮させる機構として特許文献１，２にはねじ機構をチェーン及びスプロケットで駆動することが記載され、特許文献３には平面視日字状で水平旋回するスイングフレーム（公報の名称は「連結部材」）でねじ軸を回転させることが記載されている。
【０００５】
更に特許文献３について述べると、スイングフレームは上向きに開口した天枠材の内部に配置されている一方、各足は固定部材にねじ込まれると共に天枠体には回転自在で上下動不能に保持されただねじ軸を有しており、天枠材の中央部の下面に配置したハンドルを水平回転させるとスイングフレームが水平旋回し、スイングフレームが水平旋回すると各ねじ軸がクランク部材を介して一斉に回転し、これによって天枠体（及び天板と足の可動部材）が昇降する。スイングフレームを使用した昇降駆動機構は、チェーンのような使用に伴う伸びがないため動きが確実であると共に、スプロケットが不要であるためコストダウンにも貢献できる利点がある。
【先行技術文献】
【特許文献】
【０００６】
【特許文献１】特許第３６９７６２５号公報
【特許文献２】特開２００１−２３１６３１号公報
【特許文献３】特許第２８７３３７０号公報
【発明の概要】
【発明が解決しようとする課題】
【０００７】
作業等に使用される台装置は、定置式の作業台とキャスタ付きの押し移動自在なワゴンとに大別される。ワゴンは天板（又は上棚）の下方に中間棚と下棚（底棚）とが配置されていることが普通であるが、定置式作業台の場合は特許文献３の図面に表示されているように中間棚は備えていないことが多い。しかし、天板の下方に棚があると様々な物品を載置できるため何かと重宝である。
【０００８】
この点、特許文献１の台装置はコロを有していて押し移動自在であるためワゴンタイプと言えるもので、これは、下棚（底いたを有していると共に、チェーン等の昇降駆動機構部は蓋で覆われている。従って、駆動機構部を覆う蓋を棚として機能させることも可能であると言える。
【０００９】
さて、上棚又は天板の下方に中間棚と下棚（或いは底板）とを有する昇降式の台装置を人が使用する場合、一般に人は立って使用することが多いため、人の負担を少なくするという点からは、物品を台装置から取ったり台装置に戻したりするにおいてなるべく屈まなくてもよいように（腰を大きく曲げなくてもよいように）配慮するのが好ましいと言える。
【００１０】
そこで特許文献１を検討するに、特許文献１では、天板の下面にねじ軸を回転不能に固定して、各ねじ軸に螺合したスプロケットを受け板に回転自在に取り付け、受け板と下棚とを柱で固定すると共に受け板にはチェーンを覆う蓋を設けたものであり、蓋付きの受け板は上下動しない。換言すると、上下動しない固定式の受け板にチェーンやスプロケットを設けている。従って、天板を昇降させると天板と受け板との間隔は広狭変化することになり、天板を最も下まで下降させると受け板と天板との間隔は僅かになって、受け板の蓋は物品の載置機能を実質的に保持できなくなるため底板に物品を載せねばならず、すると人は身体を屈ませて物品の載せ降ろしをせねばならず、その結果、台装置の使い勝手が悪くなる虞がある。
【００１１】
本願発明はこのような現状に鑑み成されたものであり、使い勝手が良くて強度的にも優れた台装置を提供することを課題とするものである。
【課題を解決するための手段】
【００１２】
本願発明の台装置は、平面視略四角形の天枠体と、前記天枠体の下方に配置した平面視略四角形の中間棚と、前記天枠体及び中間棚にそのコーナー部寄りの箇所で固定された４本の中空可動支柱と、前記中間棚の下方に配置した平面視略四角形の下棚とを有しており、前記下棚の各コーナー寄り部位には前記各支柱に嵌まる固定支柱が立設されており、前記各中空可動支柱が各固定支柱に対して上下スライドすることで天枠体と中間棚とが一緒に昇降するようになっている、という基本構成になっている。
【００１３】
そして第１の発明（請求項１の発明）では、前記基本構成において、前記各固定支柱には天枠体に向けて延びるねじ軸が螺合しており、前記各ねじ軸は天枠体又は中空可動支柱に回転のみ自在で上下方向には相対動しないように保持されており、かつ、前記天枠体には、当該天枠体の下面部に配置したハンドルを水平回転させることで各ねじ軸を一斉に回転させる昇降駆動機構が配置されている。
【００１４】
第２の発明（請求項２の発明）では、前記天枠体は上向きに開口した箱状の形態であって前記各ねじ軸の上端は天枠体の内部に露出しており、各ねじ軸の上端に、当該ねじ軸の軸心からずれたクランクピンを有するクランク部材が取り付けられており、天枠体の内部に、前記ハンドルの回転操作によって水平揺動することで各クランク部材を一斉に回動させる剛体構造のスイングフレームが配置されており、更に、前記天枠体の上面に上向きに開口したトレー状（或いは箱状）の上棚を配置している。
【００１５】
第３の発明は第１発明又は第２の発明を更に好適に具体化したもので、前記固定支柱にはねじ軸が螺合する雌ねじ穴が形成されていてこの雌ねじ穴は下棚の下方に開口しており、前記固定支柱の雌ねじ穴にアジャスタボルト又はキャスタの取り付けボルトが下方から入り込んでいる。
【００１６】
なお、中間棚は１つのみでもよいし複数あってもよい。また、天枠体には上棚や天板を取り付けることが可能である。天枠体に上棚を固定して更に上棚に天板を固定することも可能である。上棚や中間棚や下棚は、上面がフラットな平板状や上向きに開口したトレー状や下向きに開口したトレー状など各種のものを使用できる。
【発明の効果】
【００１７】
本願発明では中間棚は中空可動支柱に固定されているため、天枠体（及び上棚又は天板）と中間棚とは一緒に昇降する。従って、天枠体の高さを変えることで中間棚の収納機能や物品載置機能が低下することはない。このため人はさほど身体を屈めずに中間棚に物品を載せたり取ったりすることができ、このため台装置の使い勝手に優れている。また、中間棚によって中空可動支柱が補強されるため、台装置は全体として頑丈な構造になる。
【００１８】
また、ハンドルは天枠体の下面部に配置されているため、ハンドルが人の歩行の邪魔になるようなことはない。また、特許文献１の場合、仮に受け板の下面部にハンドルが配置されていると、受け板は天板の下方に位置しているため人は身体をねじるような状態にして腕を受け板の下方に差し込まねばならず、このためハンドルの回転操作をしにくいが、本願発明ではハンドルは台装置の上部を構成している天枠体の下面部に配置されているため、身体を大きくねじることなく自然な姿勢でハンドルの回転操作をすることができ、従って、昇降操作も楽に行える。
【００１９】
昇降駆動機構としてはチェーンやリンクなども使用できるが、第２の発明のように剛体構造のスイングアームを使用すると、チェーンのような使用に伴う伸びがないと共に構造も簡単になる利点がある。更に、第２の発明のように天枠体に上向きに開口のトレー状上棚を設けると、物品の転がり落ちを防止できるためキャスタを有する押し移動自在なワゴン式台装置に好適である（中間棚及び下棚も上向き開口のトレー状に構成するのが好ましい。）。
【００２０】
さて、台装置は定置式とキャスタ付きワゴン方式とに大別され、定置式のものはアジャスタボルトで支持しているのが通常である。また、キャスタには取り付け用の１本のボルトを突設しているものがあり、これは取り付け作業が楽である利点がある。そして、本願の第３の発明を採用すると、アジャスタボルト又はキャスタの取り付けボルトは固定支柱の雌ねじ穴（又は雌ねじ穴の下穴）に入り込むため（隠れるため）、下棚と床との間隔を小さくしつつアジャスタボルトやキャスタの取り付け付けボルトが下棚に露出することを防止できる。従って、台装置の安定性を向上しつつ、アジャスタボルトやキャスタを体裁良く取り付けることができる。
【図面の簡単な説明】
【００２１】
【図１】第１実施形態の分離斜視図である。
【図２】昇降駆動機構のおおまかな平面図である。
【図３】（Ａ）は図２の中央部の詳細な拡大図、（Ｂ）は図２の一つのコーナー部の詳細な拡大図、（Ｃ）は（Ａ）のＣ−Ｃ視断面図である。
【図４】図３の IV-IV視断面図である。
【図５】（Ａ）は図４のＡ−Ａ視断面図、（Ｂ）は図４のＢ−Ｂ視断面図、（Ｃ）は図４のＣ−Ｃ視断面図である。
【図６】棚の断面形状の別例図である。
【図７】第２実施形態を示す図で、（Ａ）は部分的な正面図、（Ｂ）は部分的な平面図、（Ｃ）はキャスタの取り付け構造を示す一部破断分離図である。
【発明を実施するための形態】
【００２２】
次に、本願発明の実施形態を図面に基づいて説明する。図１〜図５は定置式作業台に適用した第１実施形態を示し、図６は棚の構造の別例を示し、図７は押し移動自在なワゴンに適用した第２実施形態を示している。まず、第１実施形態から説明する。
【００２３】
(1).第１実施形態の概略
図１は作業台の分離斜視図である。この図１から理解できるように、作業台は、上から順に、木製やスチール製等の平面視四角形の天板１と、天板１の下方に配置された上向き平面視四角形の上棚２と、上棚２の下面に重なった平面視四角形の天枠体３と、天枠体３の内部に配置された平面視日字状のスイングフレーム４と、天枠体３の下面のうち四隅部の近傍に固定された中空可動支柱５と、４本の中空可動支柱５に固定された中間棚６と、中空可動支柱５に下方から嵌まった固定支柱７と、固定支柱７が固定された下棚８と、下棚８をその四隅近傍において支持する４本のアジャスタボルト９とを有している。
【００２４】
天枠体３の中央部にはその下方から回転操作するハンドル１０が水平旋回自在に取り付けられている。ハンドル１０を回転操作するとスイングフレーム４が水平旋回して中空可動支柱５が固定支柱５に対して上下動し、その結果、天板１と中間棚６は一緒に昇降する。以下、各部の詳細を説明する。
【００２５】
(2).天板と上棚
例えば図４に示すように、各棚２，６，８と天枠体３とは上向きに開口したトレー状（或いは箱状）の形態を成しており、それぞれ四周を構成する側板２ａ，６ａ，８ａには内側に突出した折り返し部２ｂ，６ｂ，８ｂを形成している。折り返し部２ｂ，６ｂ，８ｂの形態や上下長さは任意に設定することができ、また、折り返し部２ｂ，６ｂ，８ｂを持たない構成も採用できる。天枠体４における４つのコーナー部には平面視Ｌ形のコーナーブラケット１１が溶接されており、上棚４は４つのコーナーブラケット１１で囲われている。
【００２６】
図４に実線で示すように、天板１の四隅部寄りの４カ所には、上棚２のコーナー部における折り返し部２ｂに内側から重なる足片１２がビス止め等によって固定されており、コーナーブラケット１１と上棚２の側板２ａと天板１の足片１２とがビス１３とナット１４とで共締めされている。ナット１４は足片１２に溶接されている。図４に一点鎖線で示すように、天板１の足片１２はコーナーブラケット１１の外面に重なるように配置することも可能であり、この場合は、ナット１４は上棚２の側板２ａに固着される。この場合、上棚２の折り返し部２ｂを下方に長く延ばして、ナット１４を側板２ａと折り返し部２ａとで囲われた中空部に配置することも可能である。
【００２７】
コーナーブラケット１１は天枠体３にビス止めすることも可能である。また、上棚２を使用せずに天板１を直接に天枠体３に重ねて、天板１と天枠体３とを足片１２やコーナーブラケット１１のようなブラケット類で締結することも可能である。
【００２８】
(3).天枠体と昇降機構
図３（Ａ）（Ｃ）に示すように、ハンドル１０は回転軸１６を有しており、回転軸１０はベアリング１７で回転自在に保持されている（ベアリング１７のインナーレースに嵌着している。）。ベアリング１７のアウターレースは軸受け１８に嵌着しており、軸受け１８は、天枠体３の底面にビス（ボルト）１９で固定された上支持板２０に溶接されている（軸受け１８にフランジを形成して、フランジを天枠体３にビスで締結してもよい。）。
【００２９】
ハンドル１０の回転軸１６はベアリング１７の上に突出した小径部を有しており、この小径部にセンタークランク部材２１をボルト２２で固定し、センタークランク部材２１に、回転軸１６の軸心から偏心した位置において上向き突出するセンタークランクピン２３を設けている。そして、日字形スイングフレーム４の中間部をセンタークランクピン２３に嵌め入れている。従って、ハンドル１０を回転すると、スイングフレーム４は回転軸１６の軸心回りに水平旋回し得る。なお、ハンドル１０は人が握るグリップ１０ａを有しているが、グリップ１０ａはその付け根を中心に回動する折り畳み式であってもよい。
【００３０】
天枠体３の四隅部寄りの底面には、ハンドル１０の取り付けと同様に軸受け１８が溶接された上支持板２０がビス１９で固定されており、軸受け１８にはベアリンク１７を介してねじ軸２４の上端部が回転自在に保持されている。図４に示すように、ねじ軸２４は中空可動支柱５と同心に配置されていて可動支柱５にねじ込まれている。
【００３１】
中空可動支柱４の上端には下支持板２５が溶接によって固定されており、下支持板２５と天枠体３と上支持板２０とがビス１９で共締めされている。また、ねじ軸２４には下支持体２５（又は天枠体３）の下面に当たるフランジ２４ａが形成されており、このためねじ軸２４は上向き抜け不能に保持されている。
【００３２】
ねじ軸２４はベアリング１７の上に突出した小径部を有しており、この小径部にコーナークランク部材２６をボルト２７で固定し、コーナークランク部材２６にコーナークランクピン２８を上向きに突設している。コーナークランク部材２６はセンタークランク部材２１と同じ方向に延びており、かつ、コーナークランクピン２８はセンタークランクピン２３と同じ寸法だけ偏心している。そして、各コーナークランクピン２８をスイングフレーム４のコーナー部に下方から嵌め込んでいる。従って、ハンドルを回転させてスイングフレーム４が水平旋回すると、各ねじ軸２４は同じ方向に同時に回転する。
【００３３】
中空可動支柱５は断面正方形の角形鋼管を使用している一方、固定支柱７は円筒形（パイプ状）になっている。そこで、図４及び図５（Ａ）に示すように、固定支柱７の上端に平面視四角形の回り止め板２９を溶接している。従って、ねじ軸２４の回転によって固定支柱７は改定せずに上下動する。図４及び図５（Ｂ）に示すように、中空可動支柱５の下部には、当該中空可動支柱５に外接して固定支柱７には摺動自在に嵌まるガイドブッシュ３０が配置されており、ガイドブッシュ３０は中空可動支柱５にビス３１で固定されている。
【００３４】
(3).中間棚及び下棚
図４及び図５（Ｃ）に示すように、中間棚６は中空可動支柱５に中間ブラケット３３で固定されている。中間ブラケット３３は中空可動支柱５における内向きの１つの面に重なると共に中間棚６の２つの側板６ａに外側から重なる外向き片３３ａを有する平面視略Ｗ形（或いは略Ｍ形）に形成されており、中空可動支柱５に溶接されている。そして、外向き片３３ａが中間棚６の側板６ａにビス３４とナット３５とで締結されている。中間ブラケット３３の下端には、中間棚６を支持する水平片３３ｂが形成されている。水平片３３ｂは点線で示すように外向き片３３ａに設けても良いし、一点鎖線で示すように中空可動支柱５に固定された部分に設けててもよい。
【００３５】
中間棚６の外周面は中空可動支柱５の外面と概ね揃っている。従って、中間棚６のコーナー部には中空可動支柱５が嵌まる四角形の切欠きが形成されている。中間棚６を上棚２や下棚８と同じ大きさとすることも可能であるが、この場合は中間棚６に中空可動支柱５が嵌まる角穴を空けねばならないため加工が面倒になるのみならず、中空可動支柱５は予め中間棚６に嵌め込んだ状態で天枠体３に固定せねばならないため組み立て作業も厄介になる。
【００３６】
これに対して本実施形態のように中間棚６に角形の切欠き形成してこの切欠きに中空可動支柱５を嵌める構成を採用すると、穴空け加工は不要になるため中間棚６の加工が厄介になることを防止できるのみならず、中間棚６は各中空可動支柱５を天枠体３に固定した後で最後に取り付けできるため、台装置の組み立て作業も容易になる。また、中間棚６の交換も一々台装置を分解することなく簡単に行える。
【００３７】
図４に示すように、固定支柱７の下端部には下棚８の底面に上から重なる支持プレート３６が溶接によって固着されており、下棚８の底板（基板）を支持プレート３６と押さえプレート３７とで上下から挟み、支持プレート３６と下棚８と押さえプレート３７とをボルト３８及びナット３９で共締めしている。支持プレート３６の存在によって下棚８による固定支柱７の支持面積が大きくなるため、各固定支柱７と下棚８とは強固に固定されている。
【００３８】
固定支柱７は押さえプレート３７の下方に突出している。そして、固定支柱７の下面にナット板４０を溶接し、ナット板４０にアジャスタボルト９を下方からねじ込んでいる。この場合、ナット板４０の雌ねじ穴は固定支柱７と同心に形成されており、かつ、アジャスタボルト９の外径は中空可動支柱５における雌ねじ穴の内径と同じか小さい寸法に設定している。従って、アジャスタボルト９は固定支柱７の中空部に入り込んでいる。
【００３９】
(4).まとめ・実施形態の利点
以上の構成において、天板１と中間棚６とは間隔を一定に保持したまま一緒に昇降するため、天板１の高さが変化しても中間棚６の物品載置機能には変化はなく、中間棚６は所定の収容量を確保した状態で使用することができる。換言すると、中間棚６は天板１の次に高さが高いため下棚８に比べて物品を取り出したり戻したりすることを楽に行える。従って、作業台は使い勝手がよい。
【００４０】
また、４本の中空可動支柱５は中間棚６で連結された状態になっているため、天枠体３と中空可動支柱５と中間棚６との三者が一体化した状態になっており、このため極めて堅牢な構造になっている。既述のとおり天板１を天枠体３に直接に重ねることも可能であるが、本実施形態のように天板１を上棚２の上面に配置する構成を採用すると、作業内容に応じて天板１を付けたり外したりすることができるため、便利である。
【００４１】
天板１を下降させ切った状態で中空可動支柱５が下棚８に当たるように設定している一方、中間棚６は中空可動支柱５の上下中途位置に配置している。従って、天板１を下降させ切っても中間棚６と下棚８との間には間隔が空いており、下棚８の棚機能は保持されている。各固定支柱７は、回り止め板２９とガイドブッシュ３０とで中空可動支柱５に対する同心性が保持されていると共に下棚８にも固定されており、このため中空可動支柱５と固定支柱７が相対動するものでありながら、作業台（台装置）は全体として極めて頑丈な構造になっている。
【００４２】
天枠体３は上下に開口した日字型に形成することも可能であるが、本実施形態のようにトレー状でしかも側板２ａと折り返し部２ｂとを有する形態を採用すると、天枠体３は高い剛性を確保できる利点がある。また、日字型であるとチャンネル材を切断して溶接せねばならないため加工に手間がかかる虞があるが、本実施形態のようにトレー状の形態であると素材板の打ち抜きと曲げ加工だけで製造できるため、加工コストを抑制できる利点もある。
【００４３】
(4).棚の変形例
棚２，６，８は様々な構造を採用できる。図６では側板２ａ，６ａ，８ａに折り返し部２ｂ，６ｂ，８ｂを形成した場合の別例を示している。（Ａ）は折り返し部２ｂ，６ｂ，８ｂを２枚重ね状に形成して底面近くまでの延びており、（Ｂ）では折り返し部２ｂ，６ｂ，８ｂは側板２ａ，６ａ，８ａの縁だけにしか形成していない。（Ｃ）では折り返し部２ｂ，６ｂ，８ｂは底面近くまで延びていて側板２ａ，６ａ，８ａとの間に中空部が形成されている。
【００４４】
(5).第２実施形態
図６に示す第２実施形態はワゴンに適用したものである。この実施形態は基本的には第１実施形態と同じであり、第１実施形態との相違点は、天板１を備えていない点、アジャスタボルト９の代わりにキャスタ４１が取り付けられている点、押し引きするための把手４２を備えている点である。キャスタ４１は上向き突出した取り付けボルト４３を有しており、取り付けボルト４３はナット板３５に下方からねじ込まれている。
【００４５】
把手４２は横長のバー４２ａを左右の受け材４２ｂで支持したタイプであり、受け材４２ｂはコーナーブラケット１１にビスで固定されている。側面視コの字形の把手を採用して、左右２個の把手を２つのコーナーブラケット１１に固定するなどしてもよい。
【００４６】
(6).その他
本願発明は上記の実施形態の他にも様々に具体化できる。例えば中空可動支柱は断面円形とすることも可能である。各棚はメッシュ方式や穴空き方式など用途に応じて構造や形態を任意に選択することができる。固定支柱を下棚に固定する方法は、固定支柱が嵌まるリング部材を使用してこれを下棚にボルト止めするなど様々な構造を採用できる。固定支柱に中間棚を取り付けことも可能である。
【００４７】
上棚と天枠体とを同一寸法・同一構造に構成したり、上棚又は天枠体と下棚とを同一寸法・同一構造に構成したりして部材を共通化することも可能であり、これによってコストダウンを図ることができる。
【産業上の利用可能性】
【００４８】
上記のとおり、本願発明は定置式作業台やキャスタ付き（あるいは車輪付き）ワゴンに適用してその有用性を向上できるものであり、従って、産業上の利用可能性を有している。
【符号の説明】
【００４９】
１  天板
２  上棚
３  天枠体
４  スイングフレーム
５  中空可動支柱
６  中間棚
７  固定支柱
８  下棚
１０  ハンドル
２１，２７  クランク部材
２４  ねじ軸
【図１】
2010173038.tif 000003
【図２】
2010173038.tif 000004
【図３】
2010173038.tif 000005
【図４】
2010173038.tif 000006
【図５】
2010173038.tif 000007
【図６】
2010173038.tif 000008
【図７】
2010173038.tif 000009